(57)【要約】      （修正有）【課題】通気性、保温性、着用快適性を向上させたマスクを提供する。【解決手段】マスクは、マスク本体および耳掛け部を含み、マスク本体は、マスク外層１１、マスク内層１３およびマスク外層とマスク内層の間に配置されたマスクコア層１２を含み、マスク外層およびマスク内層はすべて不織布層であり、マスクコア層はメルトブローン不織布であり、マスク内層上にメッシュが均一に分布され、表面に点状の相変化カプセル粉体塗装が分布される。耳掛け部２はマスク本体の両側の縁部からそれぞれ延出し、マスク本体に接続された第１の耳掛け部および第２の耳掛け部を含み、第１の耳掛け部は調節構造を介して第２の耳掛け部に接続される。マスクの通気性を向上させるだけでなく、一定の保温効果を実現でき、耳掛け部を様々な人の顔に合わせて調節でき、ユーザの着用快適性を向上できる。【選択図】図１
0003228926.tif 000002
【実用新案登録請求の範囲】
【請求項１】
マスク本体と耳掛け部を含み、
前記マスク本体は、マスク外層、マスク内層および前記マスク外層と前記マスク内層の間に配置されたマスクコア層を含み、前記マスク外層、前記マスクコア層および前記マスク内層はすべて不織布層であり、前記マスクコア層はメルトブローン不織布であり、前記マスク内層にメッシュが均一に分布され、前記マスク内層の表面に点状の相変化カプセル粉体塗装が均一に分布され、
前記耳掛け部は前記マスク本体の両側縁部から耳介に合わせるように延出し、前記耳掛け部は、第１の耳掛け部および第２の耳掛け部を含み、前記第１の耳掛け部および第２の耳掛け部はそれぞれ前記マスク本体に固定的に接続され、第１の耳掛け部の前記マスク本体から離れた端部は調節構造を介して前記第２の耳掛け部の前記マスク本体から離れた端部に接続されることを特徴とするマスク。
【請求項２】
隣接する２つの点状の相変化カプセル粉体塗装の中心間隔が等しく、前記点状の相変化カプセル粉体塗装の厚さが０．５〜１ｍｍであることを特徴とする請求項１に記載のマスク。
【請求項３】
前記点状の相変化カプセル粉体塗装の断面形状はドット形状または楕円ドット形状であることを特徴とする請求項２に記載のマスク。
【請求項４】
前記調節構造は、子ベルクロおよび母ベルクロを含み、前記母ベルクロは第１の耳掛け部の前記マスク本体から離れた端部に固定的に接続され、前記子ベルクロは前記第２の耳掛け部の前記マスク本体から離れた端部を覆って固定的に接続されることを特徴とする請求項１に記載のマスク。
【請求項５】
前記第１の耳掛け部および前記第２の耳掛け部は両方とも弾性コードであり、前記弾性コードが幅広で平坦であることを特徴とする請求項４に記載のマスク。
【請求項６】
前記調節構造は、スポンジで形成された保護層をさらに含み、前記保護層は、前記耳掛け部に沿って移動でき、前記子ベルクロと前記母ベルクロが接続される場合、前記保護層は、前記調節構造の外周に嵌設され得、前記子ベルクロと前記母ベルクロの接続が解放されると、前記保護層は前記耳掛け部の外周に移動できることを特徴とする請求項４に記載のマスク。
【請求項７】
前記マスク本体の上部に、鼻にフィットするための押圧部が設けられ、前記押圧部はホットプレスにより前記マスク本体上に固定されることを特徴とする請求項１に記載のマスク。
【請求項８】
前記押圧部は、プラスチックストリップと、前記プラスチックストリップの上下両側に設けられた金属ストリップとを含み、前記金属ストリップが前記プラスチックストリップの上下両側の貫通孔を貫通することを特徴とする請求項７に記載のマスク。
【請求項９】
前記マスク本体の内側の上部に、鼻に適合するスポンジストリップが設けられることを特徴とする請求項１に記載のマスク。
【請求項１０】
前記マスク外層の前記マスクコア層と反対側の表面に、防水通気性コーティング層が設けられることを特徴とする請求項１に記載のマスク。
【考案の詳細な説明】
【技術分野】
【０００１】
本実用新案は、日用品の技術分野に属し、特にマスクに関する。
【背景技術】
【０００２】
マスクは一種の生理用品であり、一般に鼻と口に着用された装置を指し、鼻と口に入る空気をろ過して、有害なガス、悪臭、液滴が着用者の口と鼻に出入りするのを防ぎ、綿布、ガーゼまたは紙などで形成されるものである。
日常生活、特に病院でよく使用され、冬の保温や平時の病気の予防に重要な役割を果たす。特に病院では、保護マスクを着用することは、外科医や看護師と協力する際に不可欠かつ重要なステップである。
マスクは、肺に入る空気に対して一定のフィルター効果があり、呼吸器感染症が蔓延している場合や、ほこりなどの汚染された環境で作業する場合は、マスクの着用が非常に効果的である。
【０００３】
本出願者は、従来技術には少なくとも以下の技術的問題があることを発見した。
【０００４】
日常生活で使用されるマスクは、一般に綿またはガーゼのフィルターレイヤーマスクであり、保温性能が不足し、ウイルスまたはＰＭ２．５に起因して、特に中国北部の冬、霞が非常に深刻な冬には、人々は外出するとマスクの着用を必要とするが、通常のマスクは通気性が悪く、良い通気性を有するものは保温性能が不足する。さらに、長期間の着用に起因して、マスク内の高温多湿な環境で多くの細菌が繁殖することになる。
【考案の概要】
【０００５】
本実用新案の目的は、従来技術におけるマスクの不十分な通気性および保温性、悪い着用快適性の技術的問題を解決するためのマスクを提供することである。本実用新案によって提供される様々な技術的解決策のうちの好ましい技術的解決策によって生み出され得る技術的効果を、以下に詳細に説明する。
【０００６】
上記の目的を達成するために、本実用新案は次の技術的解決策を提供する。
【０００７】
本実用新案によって提供されるマスクは、マスク本体および耳掛け部を含み、前記マスク本体は、マスク外層、マスク内層および前記マスク外層と前記マスク内層の間に配置されたマスクコア層を含み、前記マスク外層、前記マスクコア層および前記マスク内層はすべて不織布層であり、前記マスクコア層はメルトブローン不織布であり、前記マスク内層上にメッシュが均一に分布され、前記マスク内層の表面に点状の相変化カプセル粉体塗装が均一に分布され、前記耳掛け部は、前記マスク本体の両側縁部から耳介に合わせるように延出し、前記耳掛け部は、第１の耳掛け部および第２の耳掛け部を含み、前記第１の耳掛け部および第２の耳掛け部はそれぞれ前記マスク本体に固定的に接続され、第１の耳掛け部の前記マスク本体から離れた端部は、調節構造を介して前記第２の耳掛け部の前記マスク本体から離れた端部に接続される。
【０００８】
好ましくは、隣接する２つの点状の相変化カプセル粉体塗装の中心間隔が等しく、前記点状の相変化カプセル粉体塗装の厚さが０．５〜１ｍｍである。
好ましくは、前記点状の相変化カプセル粉体塗装の断面形状がドット形状または楕円ドット形状である。
【０００９】
好ましくは、前記調節構造は、子ベルクロ(登録商標)および母ベルクロを含み、前記母ベルクロが第１の耳掛け部の前記マスク本体から離れた端部に固定的に接続され、前記子ベルクロが前記第２の耳掛け部の前記マスク本体から離れた端部を覆って固定的に接続される。
【００１０】
好ましくは、前記第１の耳掛け部および前記第２の耳掛け部は両方とも弾性コードであり、前記弾性コードは幅広で平坦である。
好ましくは、前記調節構造は、スポンジで形成された保護層をさらに含み、前記保護層は前記耳掛け部に沿って移動でき、前記子ベルクロと前記母ベルクロが接続される場合、前記保護層は前記調節構造の外周に嵌設され得、前記子ベルクロと前記母ベルクロの接続が解放されると、前記保護層は前記耳掛け部の外周に移動することができる。
【００１１】
好ましくは、前記マスク本体の上部に、鼻とフィットするための押圧部が設けられ、前記押圧部はホットプレスによって前記マスク本体上に固定される。
【００１２】
好ましくは、前記押圧部は、プラスチックストリップと、前記プラスチックストリップの上下両側に設けられた金属ストリップを含み、前記金属ストリップが前記プラスチックストリップの上下両側の貫通孔を貫通する。
好ましくは、前記マスク本体の内側の上部に、鼻に適合するスポンジストリップが設けられる。
【００１３】
好ましくは、前記マスク外層の前記マスクコア層と反対側の表面に、防水通気性コーティング層が設けられる。
【００１４】
本実用新案によって提供されるマスクは、マスク本体および耳掛け部を含み、マスク本体はマスク外層、マスク内層およびマスク外層とマスク内層の間に配置されたマスクコア層を含み、マスク外層、マスクコア層およびマスク内層はすべて不織布層であるので、マスクの通気性がより良く、マスクコア層はメルトブローン不織布であり、空気に対して一定の濾過作用を果たし、マスク内層上にメッシュが均一に分布され、マスク内層の表面に点状の相変化カプセル粉体塗装が均一に分布され、本実用新案は、相変化カプセル粉体塗装の相変化材料による熱の吸収および放出を利用して、マスクの微小環境の空気温度を調節し、着用時の快適性が向上し、さらに、第１の耳掛け部のマスク本体から離れた端部が調節構造を介して第２の耳掛け部のマスク本体から離れた端部に接続され、マスク耳掛け部の長さが調節可能であるので、子供または小顔の着用の場合、マスクの掛けができずまたは顔に完全にフィットできない欠点を解決し、より多くの人々が着用でき、同時にユーザの着用快適性がさらに向上する。
本実用新案によって提供されるマスクは、マスクの通気性を確保することを基に、一定の保温効果を発揮し、異なる顔に合わせて耳掛け部を調節でき、ユーザの着用快適性が向上し、同時に空気に対して濾過作用を果たし、ほこりや有害ガスが鼻腔に入り、鼻腔が刺激されるのを防ぎ、優れた保護役割を果たす。
【図面の簡単な説明】
【００１５】
本実用新案の実施例または従来技術中の技術的解決策をより明確に説明するために、以下では、実施例または従来技術の説明に必要な図面を簡単に説明する。以下説明する図面は本実用新案のいくつかの実施例に過ぎず、当業者であれば、創造的な労働をせずにこれらの図面に基づいて他の図面も得ることは言うまでもない。
【図１】本実用新案の実施例によって提供されるマスクの全体構造を示す概略図である。
【図２】本実用新案の実施例によって提供されるマスクの内側構造を示す概略図である。
【図３】図１のＡにおける拡大図である。
【図４】本実用新案の実施例によって提供されるマスク内層の構造を示す概略図である。
【考案を実施するための形態】
【００１６】
本実用新案の目的、技術的解決策および利点をより明確にするために、以下本実用新案の技術的解決策を詳細に説明する。もちろん、説明する実施例は本実用新案の一部の実施例に過ぎず、すべての実施例ではない。本実用新案の実施例に基づいて、当業者によって創造的な労働をせずに得られたすべての他の実施形態は、本実用新案の保護範囲に含まれる。
【００１７】
図１〜図４を参照すると、本実用新案は、マスクを提供し、それは、マスク本体１および耳掛け部２を含む。マスク本体１は、マスク外層１１、マスク内層１３およびマスク外層１１とマスク内層１３の間に配置されたマスクコア層１２を含む。マスク外層１１、マスクコア層１２およびマスク内層１３はすべて不織布層であり、マスクの通気性がより良く、マスクコア層１２はメルトブローン不織布であり、空気に対して一定の濾過作用を果たし、ほこりや有害ガスが鼻腔に入り、鼻腔が刺激されるのを防ぎ、優れた保護役割を果たし、マスク内層１３上にメッシュ１３１が均一に分布され、マスク内層１３の表面に点状の相変化カプセル粉体塗装が均一に分布される。本実用新案は、相変化カプセル粉体塗装の相変化材料による熱の吸収および放出を利用して、高温環境では熱を吸収し、低温環境では熱を放出することで、人体から排出された高温ガスから熱を吸収し、吸入した冷気に熱を放出し、マスクの微小環境の空気温度を調節する役割を果たし、着用者の快適性が向上し、優れた保温役割を果たし、異なる環境でも、着用者は温度変化による不快感を感じることなく、同時に市販されているマスクの悪い通気性、細菌の繁殖のしやすさ、低い保温性能などの問題を解決した。
【００１８】
図１に示すように、耳掛け部２は、マスク本体１の両側縁部から耳介に合わせるように延出する。具体的には、図２では、耳掛け部２は、第１の耳掛け部２１および第２の耳掛け部２２を含む。第１の耳掛け部２１および第２の耳掛け部２２はそれぞれマスク本体１に固定的に接続され、第１の耳掛け部２１のマスク本体１から離れた端部は、調節構造３を介して第２の耳掛け部２２のマスク本体１から離れた端部に接続される。マスクの耳掛け部２の長さは調節可能であるので、子供または小顔の着用場合、マスク掛けができずまたは顔によくフィットできない欠点を解決し、より多くの人々が着用でき、同時にユーザの着用快適性が向上し、耳掛け部２の不適切に起因して耳の不快感（例えば耳の血液循環が阻害されたり、耳の痛みを引き起こしたり、耳のアレルギーや炎症を引き起こしたりするなど）を回避できる。
【００１９】
図４に示すように、選択可能な実施形態として、隣接する２つの点状の相変化カプセル粉体塗装１３２の中心間隔が等しく、点状の相変化カプセル粉体塗装１３２の厚さが０．５〜１ｍｍであり得る。メッシュ１３１の直径が１〜２ｍｍであり、各点状の相変化カプセル粉体塗装１３２の直径が５〜５．５ｍｍであり、点状の相変化カプセル粉体塗装１３２の断面形状がドット形状（図４に示す）または楕円ドット形状である。本実用新案のマスク内層１３は、貫通孔(丸孔や楕円孔を含む)が刻まれた中空円筒に相変化カプセル粉末をバインダーで被覆し、不織布の表面に接着することにより形成され、相変化カプセル粉末は、２：１：１の重量比でソフトアクリレートバインダーと水との混合物にすることができる。
【００２０】
優れた温度調節効果を達成するために、マスク内層１３については、本実施例では２５℃〜３２℃の温度範囲にある相変化カプセル温度調節層を採用し、不織布上に直径１ｍｍのメッシュ１３１が均一に分布され、このような構造の不織布は、相変化カプセル材料とより容易に接合され得、人体の温度調節により有利であり、且つ不織布上の相変化カプセル粉体塗装は、直径５ｍｍ、２つの中心間隔８．４５ｍｍ、厚さ１ｍｍのドット形状でスパンレース不織布の表面に均一に分布される。さらに、本実施例のドット形状の相変化カプセル粉体塗装１３２の面積が不織布全体の５５％を占めるので、このような設計構造により、相変化材料の効果がより明確になり、より良い温度調節効果が得られる。
【００２１】
本実用新案によって提供されるマスクは、マスクの通気性を確保することを基に、一定の保温効果を発揮し、異なる顔に応じて、調節構造３を介して耳掛け部２の長さを調節でき、ユーザの着用快適性が向上する。具体的には、図２に示すように、調節構造３は子ベルクロ３１および母ベルクロ３２を含む。母ベルクロ３２が第１の耳掛け部２１のマスク本体１から離れた端部に固定的に接続され、子ベルクロ３１は第２の耳掛け部２２のマスク本体１から離れた端部を覆って固定的に接続される。
【００２２】
選択可能な実施形態として、調節構造３は、スポンジで形成された保護層４をさらに含む。保護層４は耳掛け部２に沿って移動でき、子ベルクロ３１と母ベルクロ３２が接続される場合、保護層４は調節構造３の外周に嵌設され得、子ベルクロ３１と母ベルクロ３２の接続が解放されると、保護層４は耳掛け部２の外周に移動することができる。子ベルクロ３１と母ベルクロ３２が接続されて保護層４が調節構造３の外周に摺動する場合、保護層４の設計により、調節構造３の耳に対する摩擦および／または耳掛け部２の耳に対する圧力を一定に緩和でき、耳の後ろの皮膚への圧力と摩耗を軽減し、痛みを軽減することで、長期的な着用による皮膚の損傷を回避できる。
【００２３】
本実用新案によって提供されるマスクは、生活用マスクまたは医療用マスクであり得、選択可能な実施形態として、第１の耳掛け部２１および第２の耳掛け部２２は両方とも弾性コードであり、弾性コードは幅広で平坦であり、弾性コードの調節範囲が限られているので、調節構造３の設計により、着用の快適性がより向上する。
【００２４】
人体の鼻は頬から突き出ているので、マスクを顔にフィットさせるために、選択可能な実施形態として、図１に示すように、マスク本体１の上部に鼻とフィットする押圧部５が設けられ、押圧部５はホットプレスによりマスク本体１に固定される。マスクを着用する必要がある場合に、上記押圧部５を鼻に押し付けることにより、マスクで濾過することなく、マスクの上部から人の鼻や口の内部に外気が入り込むのを回避することができる。
【００２５】
選択可能な実施形態として、図１および図３に示すように、上記押圧部５は、プラスチックストリップ５１と、プラスチックストリップ５１の上下両側に設けられた金属ストリップ５２とを含む。金属ストリップ５２はプラスチックストリップ５１の上下両側の貫通孔を貫通する。
【００２６】
図３に示すように、上記プラスチックストリップ５１上に、押圧部５とマスク本体１を固定するためのホットプレス部５３が設けられる。上記プラスチックストリップ５１の作用は、マスク本体への固定を容易にして、内部の金属ストリップ５２によるユーザの傷を防止することである。プラスチックストリップ５１はある程度の柔らかさを持っているので、人の顔にフィットするように容易に形状を変えることができ、金属ストリップ５２はある程度の硬度を持っているので、一定の外力を加えた後、押圧部５が調整されていない状態で元に回復するのを防止する。
【００２７】
選択可能な実施形態として、マスク本体１の外側の押圧部５による鼻の痛みを回避するために、図２に示すように、マスク本体１の内側の上部に、鼻に適合するスポンジストリップ６が設けられて、マスクによる鼻の痛みを防止することができる。
【００２８】
さらに、マスク外層１１のマスクコア層１２から離れた表面に、防水通気性コーティング層が設けられ、防水通気性コーティング層はポリエステルコーティング層であり得、マスク外層１１の不織布層に防水通気性コーティング層が設けられるので、マスクの防水性能が向上する。
【００２９】
本実用新案によって提供されるマスクは、マスクの通気性を確保する基に、一定の保温効果を発揮し、異なる顔に応じて耳掛け部２を調節することで、ユーザの着用快適性を向上でき、同時に空気に対して濾過作用を果たし、ほこりや有害ガスが鼻腔に入り、鼻腔が刺激されるのを防ぎ、優れた保護役割を果たす。
【００３０】
以上、本実用新案の具体的な実施形態を説明したが、本実用新案の保護範囲はこれに限定されず、当業者は、実用新案によって開示された技術範囲内で容易に想到したすべての変更または置換は、本実用新案の保護範囲に含まれるのは言うまでもない。したがって、本実用新案の保護範囲は実用新案登録請求の範囲によって示される。
【符号の説明】
【００３１】
１        マスク本体
１１      マスク外層
１２      マスクコア層
１３      マスク内層
１３１    メッシュ
１３２    点状の相変化カプセル粉体塗装
２        耳掛け部
２１      第１の耳掛け部
２２      第２の耳掛け部
３        調節構造
３１      子ベルクロ
３２      母ベルクロ
４        保護層
５        押圧部
５１      プラスチックストリップ
５２      金属ストリップ
５３      ホットプレス部
６        スポンジストリップ
【図１】
0003228926.tif 000003
【図２】
0003228926.tif 000004
【図３】
0003228926.tif 000005
【図４】
0003228926.tif 000006
【手続補正書】
【提出日】令和2年7月1日(2020.7.1)
【手続補正１】
【補正対象書類名】実用新案登録請求の範囲
【補正対象項目名】全文
【補正方法】変更
【補正の内容】
【実用新案登録請求の範囲】
【請求項１】
マスク本体と耳掛け部を含み、
前記マスク本体は、マスク外層、マスク内層および前記マスク外層と前記マスク内層の間に配置されたマスクコア層を含み、前記マスク外層、前記マスクコア層および前記マスク内層はすべて不織布層であり、前記マスクコア層はメルトブローン不織布であり、前記マスク内層にメッシュが均一に分布され、前記マスク内層の表面に点状の相変化カプセル粉体塗装が均一に分布され、
前記耳掛け部は前記マスク本体の両側縁部から耳介に合わせるように延出し、前記耳掛け部は、第１の耳掛け部および第２の耳掛け部を含み、前記第１の耳掛け部および第２の耳掛け部はそれぞれ前記マスク本体に固定的に接続され、第１の耳掛け部の前記マスク本体から離れた端部は調節構造を介して前記第２の耳掛け部の前記マスク本体から離れた端部に接続されることを特徴とするマスク。
【請求項２】
隣接する２つの点状の相変化カプセル粉体塗装の中心間隔が等しく、前記点状の相変化カプセル粉体塗装の厚さが０．５〜１ｍｍであることを特徴とする請求項１に記載のマスク。
【請求項３】
前記点状の相変化カプセル粉体塗装の断面形状はドット形状または楕円ドット形状であることを特徴とする請求項２に記載のマスク。
【請求項４】
前記調節構造は、子ベルクロ(登録商標)および母ベルクロを含み、前記母ベルクロは第１の耳掛け部の前記マスク本体から離れた端部に固定的に接続され、前記子ベルクロは前記第２の耳掛け部の前記マスク本体から離れた端部を覆って固定的に接続されることを特徴とする請求項１に記載のマスク。
【請求項５】
前記第１の耳掛け部および前記第２の耳掛け部は両方とも弾性コードであり、前記弾性コードが幅広で平坦であることを特徴とする請求項４に記載のマスク。
【請求項６】
前記調節構造は、スポンジで形成された保護層をさらに含み、前記保護層は、前記耳掛け部に沿って移動でき、前記子ベルクロと前記母ベルクロが接続される場合、前記保護層は、前記調節構造の外周に嵌設され得、前記子ベルクロと前記母ベルクロの接続が解放されると、前記保護層は前記耳掛け部の外周に移動できることを特徴とする請求項４に記載のマスク。
【請求項７】
前記マスク本体の上部に、鼻にフィットするための押圧部が設けられ、前記押圧部はホットプレスにより前記マスク本体上に固定されることを特徴とする請求項１に記載のマスク。
【請求項８】
前記押圧部は、プラスチックストリップと、前記プラスチックストリップの上下両側に設けられた金属ストリップとを含み、前記金属ストリップが前記プラスチックストリップの上下両側の貫通孔を貫通することを特徴とする請求項７に記載のマスク。
【請求項９】
前記マスク本体の内側の上部に、鼻に適合するスポンジストリップが設けられることを特徴とする請求項１に記載のマスク。
【請求項１０】
前記マスク外層の前記マスクコア層と反対側の表面に、防水通気性コーティング層が設けられることを特徴とする請求項１に記載のマスク。
【手続補正書】
【提出日】令和2年8月12日(2020.8.12)
【手続補正１】
【補正対象書類名】実用新案登録請求の範囲
【補正対象項目名】全文
【補正方法】変更
【補正の内容】
【実用新案登録請求の範囲】
【請求項１】
マスク本体と耳掛け部を含み、
前記マスク本体は、マスク外層、マスク内層および前記マスク外層と前記マスク内層の間に配置されたマスクコア層を含み、前記マスク外層、前記マスクコア層および前記マスク内層はすべて不織布層であり、前記マスクコア層はメルトブローン不織布であり、前記マスク内層にメッシュが均一に分布され、前記マスク内層の表面に点状の相変化カプセル粉体塗装が均一に分布され、
前記耳掛け部は前記マスク本体の両側縁部から耳介に合わせるように延出し、前記耳掛け部は、第１の耳掛け部および第２の耳掛け部を含み、前記第１の耳掛け部および第２の耳掛け部はそれぞれ前記マスク本体に固定的に接続され、第１の耳掛け部の前記マスク本体から離れた端部は調節構造を介して前記第２の耳掛け部の前記マスク本体から離れた端部に接続されることを特徴とするマスク。
【請求項２】
隣接する２つの点状の相変化カプセル粉体塗装の中心間隔が等しく、前記点状の相変化カプセル粉体塗装の厚さが０．５〜１ｍｍであることを特徴とする請求項１に記載のマスク。
【請求項３】
前記点状の相変化カプセル粉体塗装の断面形状はドット形状または楕円ドット形状であることを特徴とする請求項２に記載のマスク。
【請求項４】
前記調節構造は、子面ファスナーおよび母面ファスナーを含み、前記母面ファスナーは第１の耳掛け部の前記マスク本体から離れた端部に固定的に接続され、前記子面ファスナーは前記第２の耳掛け部の前記マスク本体から離れた端部を覆って固定的に接続されることを特徴とする請求項１に記載のマスク。
【請求項５】
前記第１の耳掛け部および前記第２の耳掛け部は両方とも弾性コードであり、前記弾性コードが幅広で平坦であることを特徴とする請求項４に記載のマスク。
【請求項６】
前記調節構造は、スポンジで形成された保護層をさらに含み、前記保護層は、前記耳掛け部に沿って移動でき、前記子面ファスナーと前記母面ファスナーが接続される場合、前記保護層は、前記調節構造の外周に嵌設され得、前記子面ファスナーと前記母面ファスナーの接続が解放されると、前記保護層は前記耳掛け部の外周に移動できることを特徴とする請求項４に記載のマスク。
【請求項７】
前記マスク本体の上部に、鼻にフィットするための押圧部が設けられ、前記押圧部はホットプレスにより前記マスク本体上に固定されることを特徴とする請求項１に記載のマスク。
【請求項８】
前記押圧部は、プラスチックストリップと、前記プラスチックストリップの上下両側に設けられた金属ストリップとを含み、前記金属ストリップが前記プラスチックストリップの上下両側の貫通孔を貫通することを特徴とする請求項７に記載のマスク。
【請求項９】
前記マスク本体の内側の上部に、鼻に適合するスポンジストリップが設けられることを特徴とする請求項１に記載のマスク。
【請求項１０】
前記マスク外層の前記マスクコア層と反対側の表面に、防水通気性コーティング層が設けられることを特徴とする請求項１に記載のマスク。
【手続補正２】
【補正対象書類名】明細書
【補正対象項目名】０００９
【補正方法】変更
【補正の内容】
【０００９】
好ましくは、前記調節構造は、子面ファスナーおよび母面ファスナーを含み、前記母面ファスナーが第１の耳掛け部の前記マスク本体から離れた端部に固定的に接続され、前記子面ファスナーが前記第２の耳掛け部の前記マスク本体から離れた端部を覆って固定的に接続される。
【手続補正３】
【補正対象書類名】明細書
【補正対象項目名】００１０
【補正方法】変更
【補正の内容】
【００１０】
好ましくは、前記第１の耳掛け部および前記第２の耳掛け部は両方とも弾性コードであり、前記弾性コードは幅広で平坦である。
好ましくは、前記調節構造は、スポンジで形成された保護層をさらに含み、前記保護層は前記耳掛け部に沿って移動でき、前記子面ファスナーと前記母面ファスナーが接続される場合、前記保護層は前記調節構造の外周に嵌設され得、前記子面ファスナーと前記母面ファスナーの接続が解放されると、前記保護層は前記耳掛け部の外周に移動することができる。
【手続補正４】
【補正対象書類名】明細書
【補正対象項目名】００２１
【補正方法】変更
【補正の内容】
【００２１】
本実用新案によって提供されるマスクは、マスクの通気性を確保することを基に、一定の保温効果を発揮し、異なる顔に応じて、調節構造３を介して耳掛け部２の長さを調節でき、ユーザの着用快適性が向上する。具体的には、図２に示すように、調節構造３は子面ファスナー３１および母面ファスナー３２を含む。母面ファスナー３２が第１の耳掛け部２１のマスク本体１から離れた端部に固定的に接続され、子面ファスナー３１は第２の耳掛け部２２のマスク本体１から離れた端部を覆って固定的に接続される。
【手続補正５】
【補正対象書類名】明細書
【補正対象項目名】００２２
【補正方法】変更
【補正の内容】
【００２２】
選択可能な実施形態として、調節構造３は、スポンジで形成された保護層４をさらに含む。保護層４は耳掛け部２に沿って移動でき、子面ファスナー３１と母面ファスナー３２が接続される場合、保護層４は調節構造３の外周に嵌設され得、子面ファスナー３１と母面ファスナー３２の接続が解放されると、保護層４は耳掛け部２の外周に移動することができる。子面ファスナー３１と母面ファスナー３２が接続されて保護層４が調節構造３の外周に摺動する場合、保護層４の設計により、調節構造３の耳に対する摩擦および／または耳掛け部２の耳に対する圧力を一定に緩和でき、耳の後ろの皮膚への圧力と摩耗を軽減し、痛みを軽減することで、長期的な着用による皮膚の損傷を回避できる。
【手続補正６】
【補正対象書類名】明細書
【補正対象項目名】００３１
【補正方法】変更
【補正の内容】
【００３１】
１        マスク本体
１１      マスク外層
１２      マスクコア層
１３      マスク内層
１３１    メッシュ
１３２    点状の相変化カプセル粉体塗装
２        耳掛け部
２１      第１の耳掛け部
２２      第２の耳掛け部
３        調節構造
３１      子面ファスナー
３２      母面ファスナー
４        保護層
５        押圧部
５１      プラスチックストリップ
５２      金属ストリップ
５３      ホットプレス部
６        スポンジストリップ